(57)【特許請求の範囲】
【請求項１】
プロセスチーズまたはココアベース等のペースト状食品用の個別包装体であって、
当該包装体は、ピラミッド形であり、ピラミッド形部の側面のほぼ全体を引き裂くことによって前記食品に手が届くようにするために、前記ピラミッド形部の側面を形成する三角形部のうち、少なくとも２つの隣接したまたは対向した三角形部上に、それぞれ開封部材が設けられており、
前記各開封部材は、前記三角形部の少なくとも２つの辺に沿って、前記ピラミッド形部の頂点（Ｏ）または頂点（Ｏ）近くまで延びるように配置されており、かつ、頂点（Ｏ）または頂点（Ｏ）近くで相互に連結されていることを特徴とする包装体。
【請求項２】
前記各開封部材は、２本の開封帯を含むＹ字状であり、前記各開封帯を、前記三角形部の２つの辺に沿って配置し、頂点（Ｏ）において交差させて、開封タブを前記ピラミッド形部から突出させて延ばしていることを特徴とする請求項１に記載の包装体。
【請求項３】
前記各開封部材は、花弁形状であり、少なくとも１つ開封部材は、前記三角形部のほぼ全体を覆い、開封タブを前記ピラミッド形部から突出させて延ばしていることを特徴とする請求項１に記載の包装体（１）。
【請求項４】
前記ピラミッド形部は、正方形、長方形または三角形の基部を有することを特徴とする請求項１〜３のいずれかに記載の包装体。
【請求項５】
プロセスチーズまたはココアベース等のペースト状食品用の個別包装体の製造方法であって、
当該方法は、
ａ）少なくとも１枚の平坦なシートを使用して、底が開いたピラミッドの形態に包装体部を作製するステップであって、前記ピラミッド形部の側面のほぼ全体を引き裂くことによって前記ピラミッド形包装体内に収容された前記食品に手が届くようにするために、前記シート上の前記ピラミッド形部の側面を形成する三角形部のうち、少なくとも２つの隣接したまたは対向した三角形部上に、それぞれ開封部材を、前記三角形部の少なくとも２つの辺に沿って、前記ピラミッド形部の頂点（Ｏ）または頂点（Ｏ）近くまで延びるように配置するとともに、頂点（Ｏ）または頂点（Ｏ）近くで相互に連結して固定する、作製ステップと、
ｂ）前記包装体部を、その頂点から、実質的に同じ形状の凹所が形成されている充填用型（Ｍ）内に配置するステップと、
ｃ）前記ペースト状食品を前記包装体部内へ前記ピラミッド形部の高さより低い高さまで注入するステップと、
ｄ）前記ピラミッド形部の底部を形成するように、適切な形状のフィルムを前記食品上に配置するステップと、
ｅ）前記包装体部の周囲の自由縁を固定するために底部フィルム上に折り曲げるステップと、
ｆ）前記個別のピラミッド形包装体を、このように形成すると、前記型から取り外すステップとを含む方法。
【請求項６】
前記ステップｃ）に、前記包装体部の周囲の自由縁を前記充填用型から突出させ得るステップを含むことを特徴とする請求項５に記載の方法。
【請求項７】
前記ステップｅ）に、前記包装体部の周囲の自由縁を、前記ピラミッド形部の底部を形成する前記フィルムにヒートシールするステップを含むことを特徴とする請求項６に記載の方法。
【請求項８】
ステップａ）において、前記各開封部材は、花弁形状であり、少なくとも１つ開封部材は、前記三角形部のほぼ全体を覆い、開封タブを前記三角形部から突出させていることを特徴とする請求項５〜７のいずれかに記載の方法。
【請求項９】
同一の花弁形の２つの開封部材が、前記シートの、対向したまたは隣接した２つの三角形部上に設けられ、各開封部材の前記開封タブが、三角形部の基部を通って、対応の前記三角形部から突出していることを特徴とする請求項８に記載の方法。
【請求項１０】
ステップａ）において、前記各開封部材は、２本の開封帯を含むＹ字状であり、前記各開封帯を、前記ピラミッド形部の頂点（Ｏ）から三角形部の２つの辺に沿ってヒートシールして、前記頂点（Ｏ）において前記三角形部から開封タブを突出させることを特徴とする請求項５〜７のいずれかに記載の方法。
【請求項１１】
ステップａ）において、前記シートに、３つの同一の正三角形部を設けることを特徴とする請求項５〜１０のいずれかに記載の方法。
【請求項１２】
ステップａ）において、前記シートに、４つの同一の正三角形部を設けることを特徴とする請求項５〜１１のいずれかに記載の方法。
【請求項１３】
単一の充填用型上において複数の個別ピラミッド形包装体を作製するステップを含むことを特徴とする請求項５〜１２のいずれかに記載の方法。
【請求項１４】
前記ピラミッド形部の前記底部フィルムを長方形、四角形、または三角形の切片にするステップを含むことを特徴とする請求項５〜１３のいずれかに記載の方法。
【請求項１５】
前記シートおよび底部フィルムは、ヒートシール可能なアルミニウムベースの材料からなることを特徴とする請求項５〜１４のいずれかに記載の方法。
【請求項１６】
ステップｃ）において、前記食品は、プロセスチーズベースまたは溶解したチョコレートベースであることを特徴とする請求項５〜１５のいずれかに記載の方法。
【発明の詳細な説明】
【技術分野】
【０００１】
本発明は、ペースト状の食品を収容し開封部材が設けられた個別包装体に関し、さらにそのような包装体を製造する方法に関する。
【背景技術】
【０００２】
現在、プロセスチーズまたはココアベース等のペースト状の食品を収容する様々なタイプの個別包装体が、存在している。ココアペーストベースの製品とは、カカオ豆を摘んで、カカオ豆を覆うパルプを取り除くために発酵させ、乾燥させ、焙炒し、粉砕して、磨砕により流体ペーストにすることにより、カカオ豆から製造される製品を意味するように使用する。
【０００３】
一度ペースト状の食品が充填されると、そのような包装体は、概ね個別部分と呼ばれ、一般に、正方形、長方形、または三角形の体積となり、また、それらには、「プルタブ」と呼ばれ、包装体を開封し中に収容されている製品に手が届くように突出した舌の形態をした開封部材が、設けられる。そのような部分は、仏国特許出願公開第２  ５９７  ４３６号明細書および仏国特許出願公開第２  ８０８  ７８２号明細書に特に記載されている。
【０００４】
しかしながら、技術的な視点から見ると、例えばヒートシールし得るアルミニウムからなる、非常に平坦なシートから最終型を作製し、開封部材を作製し、次に前記型を製品を充填し、最後にその壁を密閉することには、時間および機械の点で、複雑で、したがって高価な複数の操作が必要である。さらには、商品の外観および実用的見地から見て、そのような包装体のまわりの包装の形状は、常に目新しさを求める消費者の目をあまり引かない。
【発明の開示】
【発明が解決しようとする課題】
【０００５】
本発明の目的は、実施が容易で、使いやすく視覚的に消費者の目を引く包装体を得られる方法を提供することにより、それらの問題を解決することである。
【０００６】
さらに詳細には、本発明は、例えばプロセスチーズまたはココアベースのペースト状食品用の個別包装体を提供し、この包装体は、ピラミッド形であって、また少なくとも１つの開封部材が、ピラミッド形部の側面を形成する三角形部の少なくとも２つの辺に沿って配置されて、前記側面の実質的に全体を引き裂くことにより食品に手が届くようにすることを特徴とする。
【課題を解決するための手段】
【０００７】
本発明の第１の実施形態では、開封部材が、Ｙ字状であり、Ｙ字状とするために、２本の開封帯を、三角形部の２つの辺に沿って配置し、頂点において交差させて、開封タブを前記ピラミッド形部から突出させて延ばしている。
【０００８】
ピラミッド形部の少なくとも２つの隣接したまたは対向した面に、Ｙ字状の各開封部材を設けることが好ましい。
【０００９】
本発明の別の実施形態では、開封部材は、花弁形の開封部分の形態であって、当該開封部分は、三角形部の１つの面のほぼ全体を覆い、開封タブをピラミッド形部から突出させて延ばしている。
【００１０】
ピラミッド形部の少なくとも２つの隣接したまたは対向した面に、花弁形の各開封部材を設けることが好ましい。
【００１１】
ピラミッド形部は、正方形、長方形または三角形の基部を有することが好ましい。
【００１２】
本発明はまた、プロセスチーズまたはココアベース等のペースト状食品用包装体の製造方法を提供し、当該方法は、
ａ）少なくとも１枚の平坦なシートを使用して、底が開いたピラミッドの形態に包装体部を作製するステップであって、ピラミッド形部の側面の実質的に全体を引き裂くことによってピラミッド形包装体内に収容された前記食品に手が届くようにするために、少なくとも１つの開封部材を、前記シート上に設けるとともに、前記側面を形成する三角形部の少なくとも２つの辺に沿って固定する、作製ステップと、
ｂ）包装体部を、その頂点から、実質的に同じ形状の凹所が形成されている充填用型内に配置するステップと、
ｃ）ペースト状食品を包装体部内へピラミッド形部の高さより低い高さまで注入するステップと、
ｄ）ピラミッド形部の底部を形成するように、適切な形状のフィルムを食品上に配置するステップと、
ｅ）包装体部の周囲の自由縁を固定するために底部フィルム上に折り曲げるステップと、
ｆ）個別のピラミッド形包装体 を、このように形成すると、型から取り外すステップと、
を含む。
【００１３】
ステップｃ）に、包装体部の周囲の自由縁を前記充填用型から突出させ得るステップを含むことが好ましい。
【００１４】
ステップｅ）に、包装体部の周囲の自由縁を、ピラミッド形部の底部を形成するフィルムにヒートシールするステップを含むことが好ましい。
【００１５】
本発明の第１の実施形態では、ステップａ）において、包装体部を形成するシートは、三角形部を含み、当該三角形部は、同一であり対になって隣接しており、各三角形部は、ピラミッド形部の側面の１つを形成し、各開封部材は、三角形部の１つの三角形部のほぼ全体を覆う花弁形の開封部分と、三角形部から突出する開封タブとを含む。
【００１６】
同一の花弁形の２つの開封部材が、シートの、対向したまたは隣接した２つの三角形部上に設けられ、各開封部材の前記開封タブが、その基部を通って、対応の三角形部から突出していることが好ましい。
【００１７】
別の実施形態では、ステップａ）において、包装体部を形成するシートは、同一の三角形部を含み、当該三角形部は、対になって隣接しており、各三角形部が、ピラミッド形部の側面を形成し、また、各開封部材は、２本の開封帯を含み、当該開封帯を、頂点から三角形部の２つの辺に沿ってヒートシールして、頂点において前記三角形部から共通の開封タブを突出させることで、Ｙ字状にする。
【００１８】
ステップａ）において、シートに、３つまたは４つの同一の正三角形部を設け、ピラミッド形部の底部フィルムを三角形、長方形、または四角形の切片にすることが好ましい。
【００１９】
本方法は、複数の個別のピラミッド形の包装体を単一の充填用型に作製するステップを含むことが好ましい。
【００２０】
シート及び底部フィルムは、ヒートシール可能なアルミニウムベースの材料からなることが好ましい。
【００２１】
本方法は、ステップｃ）において、食品がプロセスチーズまたは溶解したココアベースである場合に、特に利用されることが分かっている。
【００２２】
本発明の他の特徴、詳細、利点は、添付の図面に関連して作成した以下の説明を読むと、明らかであり、添付の図面は、例示として示している。
【発明を実施するための最良の形態】
【００２３】
図１は、個別の包装体１の斜視図であって、当該個別の包装体１は、開封部材４５が設けられたピラミッド形であり、本発明の製造方法の最後にプロセスチーズベースのペースト状の食品を収容することに有用である。
【００２４】
「プロセスチーズ」という用語は、任意選択的にチーズ処理用の塩、凝乳の存在下で、チーズ単独で、あるいは他の牛乳ベースの、バター、粉乳またはホエー、脂肪、無水材料、タンパク質濃縮物などの成分と混合させて、高温溶融させることにより得られる製品を指すために使用する。「プロセスチーズ」という用語は、さらにチーズまたは牛乳ベースの成分が、脂肪またはタンパク質などの植物性のものと完全にまたは部分的に置き換わった製品もカバーする。
【００２５】
初めに、図５に示すような包装体部１００は、非常に平坦なシート１０、例えばヒートシールし得るアルミニウムから作製される。
【００２６】
図２に示す第１の実施形態では、作製前の平坦なシート１０は、１５、１６、１７および１８の参照番号を付けた４つの同一の正三角形部を含み、これらは、屈曲パターンを形成するように、共通の辺が対にして接続されている。
【００２７】
したがって、端の三角形部１５は、基部１５ａと、第１の辺１５ｂと、第２の辺１５ｃとで示され、隣接する三角形部１６は、基部１６ａと、辺１５ｃと一致する第１の辺１６ｂと、第２の辺１６ｃとで示され、次の三角形部１７は、基部１７ａと、辺１６ｃと一致する第１の辺１７ｂと、第２の辺１７ｃとで示され、他方の端の最後の三角形部１８は、基部１８ａと、辺１７ｃと一致する第１の辺１８ｂと、第２の辺１８ｃとで示される。
【００２８】
４つの三角形部は、共通の頂点が、それらの基部１５ａ、１６ａ、１７ａおよび１８ａから遠い交差点Ｏで交わる。折り返し部１９を形成するストリップも、前記三角形部のまわりに設ける。
【００２９】
２つの開封部材２５および３５を、シート１０の三角形部のうちの２つの三角形部上に、例えば対向する三角形部１５および１７上に設ける。これらの開封部材２５および３５は、両方とも、花弁形の開封部分２６または３６の形態であり、各開封部分は、先端が、実質的に頂点Ｏと一致し、対応する三角形部の基部の方へフレア状になっている。各開封部分２６または３６からは、開封タブ２８または３８が延びており、これらの開封タブは、頂点Ｏから遠い各三角形部の辺を越えて突出し、すなわち、基部１５ａまたは１７ａを越えて突出している。したがって、開封部材２５および３５は、それらがヒートシールされる三角形部をほぼ完全に覆い、また、それらは、実質的に一切れのケーキのような形状に形成される。
【００３０】
図３に示す第２の実施形態では、シート１０は、１つの開封部材４５しか有しておらず、その開封部材は、Ｙ字状で、２本の開封帯４６ａおよび４６ｂになっており、これらの開封帯は、例えば、前記三角形部１７からプルタブ４８を突出させて延びるように、三角形部１７の辺１７ｂおよび１７ｃに沿ってヒートシールされ、頂点Ｏで結合されている。
【００３１】
図４に示す第３の実施形態では、最初の平坦なシート１０は、１５、１６および１７の参照番号を付けた３つの同一の正三角形部を含み、これらの正三角形部は、同じ辺を共有する対をそれぞれ連続させて、逆方向を向いている。Ｙ字形の開封部材５５をシートに設け、開封部材５５は、例えば、三角形部１６の辺１６ｂおよび１６ｃに沿ってヒートシールされる２つの開封帯５６ａおよび５６ｂを含む。開封帯５６ａおよび５６ｂは、頂点Ｏの近くで交わり、単一の開封タブ５８を前記頂点Ｏから突出させて延びている。
【００３２】
図２に由来し図１４〜図１７に示す本発明の他の第４の実施形態では、２つの開封部材２５および３５は、一度の作業で複数の面が連続して切り離されるように、頂点Ｏの近くで相互に連結されている。
【００３３】
図１４では、第１の開封部材２５は、図２に示したものと同一であるが、第２の開封部材３５は、開封タブを有していない。したがって、２つの面１５および１７を連続して切り離すことは、花弁形の開封部分２６のタブ２８を引っ張ることのみによって行われる。
【００３４】
図１５では、第１の開封部分２６の開封タブ２８は、例えば、三角形部１５の辺のうちの１つの辺、例えば辺１５ｂの方へ片寄っており、それと同時に、第２の開封部分３６が、三角形部１７のすべてを占めてはおらず、開封タブを有していない。
【００３５】
図１６では、第１の開封部材２５は、図２のものと同一である、すなわち、中央開封タブ２８を伴って花弁形に形成されているが、第２の開封部材３５は、三角形部１７の一部分しか占めておらず、開封タブを有していない。
【００３６】
図１７では、両方の開封部材２５および３５は、頂点Ｏの近くの三角形部が結合されている場所において相互に連結されている点を除いて、図２に示したものと同一である。このように構成することによって、タブ２８または３８の一方または他方を引っ張ることにより、包装体を開け得る。
【００３７】
図２〜図４および図１４〜図１７に示す各解決手段において、分かるように、少なくとも１つの開封部材は、基本のシート１０の所与の三角形部の少なくとも２つの辺に沿って、すなわち、花弁の形態またはＹ字形にすることによって、ピラミッド形の包装体の面のうちの１つの面の少なくとも２つの辺に沿って延びる。
【００３８】
図５に示すピラミッド形の包装体部１００は、端の三角形部１５および１８が合わさるように図２のシート１０を折ることにより作製される。一度、これらの三角形部１５および１８が接すると、それらの折り返し部１９をヒートシールする。
【００３９】
その後、この包装体部１００を、実質的に同じ形状の凹所が形成されている充填用の型Ｍ内に、頂点Ｏを下方に向けて配置する。次に、包装体部１００の周囲の自由縁１９を、充填用の型Ｍから突出させることが好ましい。
【００４０】
一度所定位置にすると、包装体部１００に、プロセスチーズベースのペースト状の食品Ｐを充填する。充填は、ピラミッド形部を閉じる次のステップを行い得るように、ピラミッド形部の高さより低い高さまで、すなわち、実質的に型Ｍの上面の高さまでまたはその高さより若干下まで行う。充填ステップを図６および図７に示す。
【００４１】
一度、ペースト状の製品が、やや流動性が低く低温になると、四角形の、すなわち、型Ｍの凹部の上部の形状と実質的に同一の形状の切片である、ヒートシールし得るアルミニウムのフィルム１１５を、前記製品Ｐ上に配置して、ピラミッド形部の底部、すなわち基部が形成される。このステップを図８に示す。
【００４２】
図９に示すように、底部フィルム１１５をペースト状の製品Ｐ上に配置した後、ピラミッド形部の周囲の自由縁１９を折り曲げ、次に、底部１１５にヒートシールする。図１０および図１１に示すように、縁１９は、対向した縁を２つ一組にして連続して、折り曲げ得る。
【００４３】
図４に示した別の実施形態では、基本のシート１０は、４つではなく３つの三角形部を含んでおり、上述の方法との違いは、主に、型Ｍの形状が、基部が三角形のピラミッド形状であること、底部シート１１５の形状が正三角形であること、折り返し部１９を、三角形の構成に次々に連続的に折り重ねることとに関する。
【００４４】
プロセスチーズベースのペースト状の製品を手に届くようにするために、ユーザは、開封部材を利用し、開封タブを引っ張ることによって、上記方法を用いて作製された個別のピラミッド形の包装体１を開く。したがって、図１２に示すような正方形の基部を有する個別のピラミッド形の包装体、および図１３に示すような三角形部の基部を有する個別のピラミッド形の包装体は、実質的に前記ピラミッド形部の１つの面全体を、または図２に示すように２つの開封部材がある場合、実際には２つの面全体を引き裂くことにより開封される。特定のこの実施形態では、面のうちの２つの面が、各基部から頂点Ｏまで開くので、「蝶」型の開封と言われる。図１４〜図１７に示す実施形態では、開口部は、単一の開封作業が、１つの面から、次に他の面に行われるので、「連続」型の開封と言われている。
しかしながら、これらの例が、単に本発明を説明するものとして示されており、本発明を限定していないことを理解すべきである。したがって、異なるタイプの開封部材を相互に組み合わせ得る。特に、解決法を組み合わせて、ピラミッド形部の第１の面に花弁形の開封部材を設け、ピラミッド形部の第２の面にＹ字形の開封部材を設け得る。
【００４５】
さらに、自動製造ラインを使用して、大量生産用の支持体に多数の型を装着することもできる。
【図面の簡単な説明】
【００４６】
【図１】  図１は、プロセスチーズまたは溶解したチョコレートベースのペースト状の食品を収容した、正方形の基部でありピラミッド形の個別包装体の斜視図である。
【図２】  正方形部分の底を開いたピラミッド形の形態の包装体部を作製することに適するシートの平面図である。
【図３】  図２の変形を示す図である。
【図４】  シートによって、基部が三角形であるピラミッド形部を作製し得る図３の別の変形を示す図である。
【図５】  底が開いたピラミッド形の包装体部と充填用の型とを利用する本発明の本方法における第１の製造ステップの斜視図である。
【図６】  包装体部の開いた底部からペースト状の食品を注入する、包装体製造における第２のステップを示す図５の平面図である。
【図７】  包装体部の開いた底部からペースト状の食品を注入する、包装体製造における第２のステップを示す図５の断面図である。
【図８】  注入されたペースト状の製品に底部フィルムを配置する、包装体製造における第３のステップの断面図である。
【図９】  包装体部を閉じる、包装体製造における第４のステップの断面図である。
【図１０】  包装体部を閉じる、包装体製造における第４のステップの平面図である。
【図１１】  包装体部を閉じる、包装体製造における第４のステップの平面図である。
【図１２】  基部が正方形であるピラミッド形部が開いた包装体の斜視図である。
【図１３】  開放位置にあるときの、基部が三角形であるピラミッド形部の包装体の斜視図である。
【図１４】  図２の他の変形を示す図である。
【図１５】  図２の他の変形を示す図である。
【図１６】  図２の他の変形を示す図である。
【図１７】  図２の他の変形を示す図である。
【図１】
0004531041.tif 000002
【図２】
0004531041.tif 000003
【図３】
0004531041.tif 000004
【図４】
0004531041.tif 000005
【図５】
0004531041.tif 000006
【図６】
0004531041.tif 000007
【図７】
0004531041.tif 000008
【図８】
0004531041.tif 000009
【図９】
0004531041.tif 000010
【図１０】
0004531041.tif 000011
【図１１】
0004531041.tif 000012
【図１２】
0004531041.tif 000013
【図１３】
0004531041.tif 000014
【図１４】
0004531041.tif 000015
【図１５】
0004531041.tif 000016
【図１６】
0004531041.tif 000017
【図１７】
0004531041.tif 000018